【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
３次元多孔質材料を通る流体流及び音波伝播を判定するシステムであって、
プロセッサ及びメモリを備え、該プロセッサ及びメモリは、
前記システムによって、前記３次元多孔質材料のモデルを受信するステップと、
前記３次元多孔質材料を任意の形状を定義する幅及び長さを有するものとして定義される２次元界面シートとしてモデル化するステップであって、流体流及び音波がシミュレーション空間において前記モデル化された２次元界面シートを通過して圧力損失及び音響損失を受ける、モデル化するステップと、
前記シミュレーション空間において、流体流及び音波伝播をシミュレートするステップと、
を含む動作を実行するように構成され、前記流体流は、前記シミュレーション空間内の前記流体流の前記モデル化された２次元界面を横切る要素の動きをシミュレートするようにシミュレートされ、前記モデル化された２次元界面を横切る前記要素の前記動きのシミュレーションは、前記モデル化された２次元界面に従って行なわれる、
ことを特徴とするシステム。
【請求項２】
前記動作は、前記シミュレーション空間内の前記モデル化された２次元界面に起因する前記流体流及び音波伝播の変化を識別するステップをさらに含む、
請求項１に記載のシステム。
【請求項３】
前記動作は、前記多孔質材料の幾何学的特性及びシミュレーション特性に基づいて決定される、前記モデル化された２次元界面の一方側から前記モデル化された２次元界面の他方側へ横切る前記流体流の部分を表わす指標を生成すること、をさらに含む
請求項１に記載のシステム。
【請求項４】
前記モデル化された２次元界面モデルはメッシュシートを表わし、前記モデル化された２次元界面モデルは、所与の時間で前記界面の一方側から前記界面の他方側に流れることができる前記流体の部分へ幾何学的パラメータφを崩壊させることを表わすΦとして定義される前記指標に基づいて、境界を横切る流体を可能にする障壁にまで前記メッシュシートのモデリングを低減させる、
請求項１に記載のシステム。
【請求項５】
前記音波伝播をシミュレートするステップは、前記モデル化された２次元界面の第１の側から前記モデル化された２次元界面の第２の側への圧力変化を計算するステップを含む、
請求項１に記載のシステム。
【請求項６】
前記シミュレーションに基づいて、前記多孔質材料の前記音響減衰特性を求めるステップをさらに含む、
請求項１に記載のシステム。
【請求項７】
前記流体流及び音波伝播をシミュレートするステップは、前記モデル化された２次元界面の前記第１の側を前記モデル化された２次元界面の前記第２の側とは無関係にシミュレートするステップを含む、
請求項１に記載のシステム。
【請求項８】
前記３次元多孔質材料はメッシュシートであり、前記モデル化された２次元界面は、前記メッシュシートの外面と相互作用し接触する内面を有する二層表面を形成する両面表面要素の組を含む、請求項１に記載のシステム。
【請求項９】
３次元多孔質材料を通る流体流及び音波伝播を判定するコンピュータ実装方法であって、
システムによって、任意の形状を定義する幅及び長さを有するものとして定義される２次元界面シートとしてモデル化された前記３次元多孔質材料のモデルを受信するステップであって、流体流及び音波がシミュレーション空間において前記モデル化された２次元界面を通過して圧力損失及び音響損失を受ける、受信するステップと、
前記シミュレーション空間において、流体流及び音波伝播をシミュレートするステップと、
を含み、前記流体流は、前記シミュレーション空間内の前記流体流の前記モデル化された２次元界面を横切る要素の動きをシミュレートするようにシミュレートされ、前記モデル化された２次元界面を横切る前記要素の前記動きのシミュレーションは、前記モデル化された２次元界面に従って行なわれる、
ことを特徴とする方法。
【請求項１０】
前記動作は、前記シミュレーション空間内の前記モデル化された２次元界面に起因する前記流体流及び音波伝播の変化を識別するステップをさらに含む、
請求項９に記載にコンピュータ実装方法。
【請求項１１】
前記多孔質材料の幾何学的特性及びシミュレーション特性に基づいて決定される、前記モデル化された２次元界面の一方側から前記モデル化された２次元界面の他方側へ横切る前記流体流の部分を表わす指標を生成すること、をさらに含む
請求項９に記載にコンピュータ実装方法。
【請求項１２】
前記モデル化された２次元界面モデルはメッシュシートを表わし、前記モデル化された２次元界面モデルは、所与の時間で前記界面の一方側から前記界面の他方側に流れることができる前記流体の部分へ幾何学的パラメータφを崩壊させることを表わすΦとして定義される前記指標に基づいて、境界を横切る流体を可能にする障壁にまで前記メッシュシートのモデリングを低減させる、
請求項１１に記載にコンピュータ実装方法。
【請求項１３】
前記音波伝播をシミュレートするステップは、前記モデル化された２次元界面の第１の側から前記モデル化された２次元界面の第２の側への圧力変化を計算するステップを含む、
請求項９に記載にコンピュータ実装方法。
【請求項１４】
前記シミュレーションに基づいて、前記多孔質材料の前記音響減衰特性を求めるステップをさらに含む、
請求項９に記載にコンピュータ実装方法。
【請求項１５】
前記流体流及び音波伝播をシミュレートするステップは、前記モデル化された２次元界面の前記第１の側を前記モデル化された２次元界面の前記第２の側とは無関係にシミュレートするステップを含む、
請求項９に記載にコンピュータ実装方法。
【請求項１６】
前記多孔質材料はメッシュシートであり、前記モデル化された２次元界面は、前記メッシュシートの外面と相互作用し接触する内面を有する二層表面を形成する両面表面要素の組を含む、
請求項９に記載にコンピュータ実装方法。
【請求項１７】
コンピュータプログラム命令が符号化された非一時的コンピュータ記憶媒体であって、前記コンピュータプログラム命令は、１又は２以上のコンピュータによって実行された時に、
システムによって、任意の形状を定義する幅及び長さを有するものとして定義される２次元界面シートとしてモデル化された前記３次元多孔質材料のモデルを受信するステップであって、流体流及び音波がシミュレーション空間において前記モデル化された２次元界面を通過して圧力損失及び音響損失を受ける、受信するステップと、
前記シミュレーション空間において、流体流及び音波伝播をシミュレートするステップと、
を含む動作を前記１又は２以上のコンピュータに実行させ、前記流体流は、前記シミュレーション空間内の前記流体流の前記モデル化された２次元界面を横切る要素の動きをシミュレートするようにシミュレートされ、前記モデル化された２次元界面を横切る前記要素の前記動きのシミュレーションは、前記モデル化された２次元界面に従って行なわれる、
ことを特徴とする非一時的コンピュータ記憶媒体。
【請求項１８】
前記動作は、前記シミュレーション空間内の前記モデル化された２次元界面に起因する前記流体流及び音波伝播の変化を識別するステップをさらに含む、
請求項１７に記載の非一時的コンピュータ記憶媒体。
【請求項１９】
前記動作は、前記多孔質材料の幾何学的特性及びシミュレーション特性に基づいて決定される、前記モデル化された２次元界面の一方側から前記モデル化された２次元界面の他方側へ横切る前記流体流の部分を表わす指標を生成すること、をさらに含む
請求項１７に記載の非一時的コンピュータ記憶媒体。
【請求項２０】
前記音波伝播をシミュレートするステップは、前記モデル化された２次元界面の第１の側から前記モデル化された２次元界面の第２の側への圧力変化を計算するステップを含む、
請求項１７に記載の非一時的コンピュータ記憶媒体。
【請求項２１】
前記シミュレーションに基づいて、前記多孔質材料の前記音響減衰特性を求めるステップをさらに含む、
請求項１７に記載の非一時的コンピュータ記憶媒体。
【請求項２２】
前記流体流及び音波伝播をシミュレートするステップは、前記モデル化された２次元界面の前記第１の側を前記モデル化された２次元界面の前記第２の側とは無関係にシミュレートするステップを含む、
請求項１７に記載の非一時的コンピュータ記憶媒体。
【請求項２３】
前記モデル化された２次元界面モデルはメッシュシートを表わし、前記モデル化された２次元界面モデルは、所与の時間で前記界面の一方側から前記界面の他方側に流れることができる前記流体の部分へ幾何学的パラメータφを崩壊させることを表わすΦとして定義される前記指標に基づいて、境界を横切る流体を可能にする障壁にまで前記メッシュシートのモデリングを低減させる、
請求項１７に記載の非一時的コンピュータ記憶媒体。
【請求項２４】
前記多孔質材料はメッシュシートである、
請求項１７に記載の非一時的コンピュータ記憶媒体。
【手続補正２】
【補正対象書類名】明細書
【補正対象項目名】０００７
【補正方法】変更
【補正の内容】
【０００７】
本開示の実装は、以下の動作のうちの１つ又は２つ以上を単独で又は組み合わせて含むことができる。動作は、シミュレーション空間内の界面に起因する流体流及び音波伝播の変化をさらに識別することができる。多孔質材料の幾何学的特性及びシミュレーション特性に基づいて、界面を横切る流体流の指標を生成することを決定することができる。音波伝播をシミュレートするステップは、界面の第１の側から界面の第２の側への圧力変化を計算するステップを含むことができる。動作は、シミュレーションに基づいて、多孔質材料の音響減衰特性を求めるステップをさらに含むことができる。流体流及び音波伝播をシミュレートするステップは、界面の第１の側を界面の第２の側とは無関係にシミュレートするステップを含むことができる。音波伝播をシミュレートするステップは、界面を横切る流体流の指標（measure）に基づいて、界面の一方向を通る制限されていない流体流を可能にし、他方向の流体流を制限するステップを含むことができる。多孔質材料は、メッシュとすることができる。